(57)【要約】【課題】後方操作部を操作しながら歩行する操作者が、その立姿姿勢を保持したまま、機体右側のクローラ走行装置の走行状態を、容易かつ正確に把握することができるコンバインを提供する。【解決手段】左右一対のクローラ走行装置２ａ、２ｂを備えた機体フレーム３上の前部に、操作者が着座して操作する前方操作部５と、機体フレーム３上に搭載した脱穀装置６の後部に、機体走行とともに操作者が歩行しながら操作する後方操作部９とを備え、かつ当該後方操作部９の前方で右クローラ走行装置の上方位置に延設した載置台１５の下方域を、後方操作部９での操作姿勢を保持したまま、前方下方への視線移動で確認可能とした。【選択図】　　図２
2004000032.tif 000002
【特許請求の範囲】
【請求項１】
左右一対のクローラ走行装置を備えた機体フレーム上の前部に、操作者が着座して操作する前方操作部と、機体フレーム上に搭載した脱穀装置の後部に、機体走行とともに操作者が歩行しながら操作する後方操作部とを備え、かつ当該後方操作部の前方で右クローラ走行装置の上方位置に、脱穀装置から放出される籾の収納袋を載置する載置台を延設すると共に、上記後方操作部での操作姿勢を保持したまま、前方下方への視線移動で載置台の下方域を確認可能な安全手段を設けたことを特徴とするコンバイン。
【請求項２】
上記安全手段は、透視性を有する板状材で形成した載置台で構成され、該載置台を介して右クローラ走行装置の走行軌跡とその道幅間隔の確認を可能としたことを特徴とする請求項１記載のコンバイン。
【発明の詳細な説明】
【０００１】
【発明の属する技術分野】
本発明は、操作者が着座して操作する前方操作部と、機体フレーム上に搭載した脱穀装置の後部に、機体走行とともに操作者が歩行しながら操作する後方操作部とを備えたコンバインに係り、詳しくは、上記後方操作部での操作姿勢を保持したまま、前方下方への視線移動で載置台の下方域を容易に確認することができ、適切な機体後部の走行状態を把握できるコンバインに関するものである。
【０００２】
【従来の技術】
従来、左右一対のクローラ走行装置を備えた機体フレームの前部に運転席を備えた前方操作部を設け、その後方に脱穀装置を搭載したコンバインが一般に知られているが、近年では、山間地の棚田等、特に少面積の圃場でも適応できるコンバインが要求されてきており、棚田の場合は圃場に至たるまでの道路も狭く軽トラック等に容易に積載でき、かつ狭い圃場でも障害物と接当したり沈下することがないような、容易に取り回しができる小型、軽量のコンバインが必要とされている。そして上記のような狭い圃場および周辺地では、運転席に着座した状態での各種操作は滑落や機体の倒伏等の危険を伴うこととなるので、従来の前方操作部とは別に、機体走行とともに操作者が歩行しながら操作する後方操作部を、脱穀装置の後部に備えたコンバインの構成が提案されている。
【０００３】
しかしながら、上記後方操作部を備えたコンバインでは、脱穀装置から放出される籾の収納袋を載置する載置台を、後方操作部の前方で右クローラ走行装置の上方位置に延設しているため、歩行する操作者の立姿状態では、その前方下方に位置する上記載置台の下方域、すなわち機体右側のクローラ走行装置の走行状態を、腰を屈めて載置台の下方をいちいち覗き込まないと正確に把握することができず、往々にして路肩や棚田の畦際などを破壊し易い、という安全走行上の改善の余地を残すものであった。
【０００４】
【発明が解決しようとする課題】
本発明は、上記のような実状に鑑み、後方操作部を備えたコンバインにおける走行安全性を追求する研究、開発の過程で創案されたものであって、その意図とするところは、後方操作部を操作しながら歩行する操作者が、その立姿姿勢を保持したまま、機体右側のクローラ走行装置の走行状態を、容易かつ正確に把握することができ、走行安全性を向上させることができるコンバインを提供することを課題とするものである。
【０００５】
【課題を解決するための手段】
上記の課題を解決するため、本発明が採用した第１の技術的手段は、左右一対のクローラ走行装置を備えた機体フレーム上の前部に、操作者が着座して操作する前方操作部と、機体フレーム上に搭載した脱穀装置の後部に、機体走行とともに操作者が歩行しながら操作する後方操作部とを備え、かつ当該後方操作部の前方で右クローラ走行装置の上方位置に、脱穀装置から放出される籾の収納袋を載置する載置台を延設すると共に、上記後方操作部での操作姿勢を保持したまま、前方下方への視線移動で載置台の下方域を確認可能な安全手段を設けたことを特徴とするものである。
【０００６】
本発明が採用した第２の技術的手段は、上記安全手段は、透視性を有する板状材で形成した載置台で構成され、該載置台を介して右クローラ走行装置の走行軌跡とその道幅間隔の確認を可能としたことを特徴とするものである。
【０００７】
【発明の実施の形態】
本発明の実施の形態を添付図面に基いて詳細に説明する。
図１〜図３において、１は本発明を適用したコンバインであり、該コンバイン１は左右クローラ走行装置２ａ、２ｂを備えた機体フレーム３の前方に前処理部４を昇降自在に支持し、かつ上記機体フレーム３上の前部には、マルチステアリングレバー５ａ、変速レバー５ｂおよび作業機・刈取クラッチレバー５ｃ等を備えて、図示しない操作者が着座して操作する前方操作部５が設けられていると共に、上記機体フレーム３上に搭載した脱穀装置６の後部には、排藁カッター装置６´に隣接して、駐車ブレーキレバー７、左右サイドクラッチレバー８ａ、８ｂを備えた後方操作部９が設けられており、該後方操作部９を歩行しながら操作者が操作することにより、コンバイン１を走行させることが可能となっている。
【０００８】
なお、本発明のコンバイン１に採用される上記排藁カッター装置６´は、図５に示すように、離間並設した掻込みローラ１０ａ、１０ｂで掻き込んだ排藁をカッターシリンダ１１を介して排出するが、その際、一方の掻込みローラ１０ａを軸支する回転軸１２を長孔１３に挿通して、解除レバー１４に取り付けた付勢弾機１４ａにより掻込みローラ１０ｂ側に付勢する構成となっているので、当該掻込みローラ１０ａ、１０ｂ間に排藁が大量に詰まってしまった場合にも、上記解除レバー１４を矢印方向に操作するのみで容易に詰まった排藁を取り除くことができるものである。
【０００９】
ここで、上記左右クローラ走行装置２ａ、２ｂのうち、右クローラ走行装置２ｂの上方位置には、脱穀装置６の揚穀筒６ａに設けた放出口６ｂから放出される籾の収納袋（図示せず）を載置する載置台１５が水平状に延設されており、操作者が、上記後方操作部９での操作姿勢を保持したまま、前方下方への視線移動で載置台１５の下方域を確認可能とする安全手段が備わっている。
【００１０】
すなわち、上記載置台１５は、図４（ａ）に示すように、透視性を有する板状の透明な硬質プラスティック材で形成されており、該載置台１５を介して操作者が立姿状態で右クローラ走行装置２ｂの走行軌跡とその道幅間隔の目視確認ができるようになっている。また上記載置台１５の後端部には、当該載置台１５の下方域に反射面を向けたミラー１６がステー１７を介して取り付けられており、載置台１５に籾の収納袋を載置した場合にも支障なく載置台１５の下方域を確認できる構成となっている。
【００１１】
本発明は叙上の如く構成されているから、いま、コンバイン１を後方操作部９の操作で走行させると、前処理部４で刈取られた穀稈の穂先側が脱穀装置６に供給され、当該脱穀装置６において脱穀、穀粒選別、排藁処理等が行われると共に、選別された穀粒は揚穀筒６ａを介してその放出口６ｂから下方の載置台１５に載置した籾の収納袋（図示せず）に投入されることになる。
【００１２】
このような刈取脱穀作業中において、操作者はコンバイン１とともに歩行しながら立姿状態で後方操作部９の操作を行うことになるが、載置台１５が板状の透明な硬質プラスティック材で形成されているため、腰を屈めて載置台の下方をいちいち覗き込むような煩わしい動作を要することなく、操作姿勢を保持したまま、コンバイン１の走行状態および走行軌跡の確認を、載置台１５の下方域に反射面が向くミラー１６と相俟って容易に行うことができ、走行安全性を高めることができる。
【００１３】
上記発明の実施の形態では、透視性を有する板状の透明な硬質プラスティック材で載置台１５を形成した構成を示したが、これに限定されるものではなく、図４（ｂ）に示すように、多数の穿孔１８、１８…を設けた鋼板製の載置台１５´を採用して、該穿孔１８、１８…を介して載置台１５の下方域を視認するようにしても良い。
【００１４】
【発明の効果】
以上の説明によって明らかなように、本発明によれば、左右一対のクローラ走行装置を備えた機体フレーム上の前部に、操作者が着座して操作する前方操作部と、機体フレーム上に搭載した脱穀装置の後部に、機体走行とともに操作者が歩行しながら操作する後方操作部とを備え、かつ当該後方操作部の前方で右クローラ走行装置の上方位置に、脱穀装置から放出される籾の収納袋を載置する載置台を延設すると共に、上記後方操作部での操作姿勢を保持したまま、前方下方への視線移動で載置台の下方域を確認可能な安全手段を設け、また上記安全手段は、透視性を有する板状材で形成した載置台で構成され、該載置台を介して右クローラ走行装置の走行軌跡とその道幅間隔の確認を可能としたから、後方操作部での操作姿勢を保持した操作者が前方下方に視線を落とすだけで、容易に載置台の下方域を確認することができ、適切なクローラ走行装置の走行軌跡と道幅の把握を行える、という極めて有用な新規的効果を奏するものである。
【図面の簡単な説明】
【図１】コンバインの全体側面図である。
【図２】コンバインの全体平面図である。
【図３】コンバインの後面図である。
【図４】（ａ）は載置台の要部拡大平面図である。
（ｂ）は載置台の他例を示す要部拡大平面図である。
【図５】排藁カッター装置の要部側面図である。
【符号の説明】
１　　　コンバイン
２ａ　　クローラ走行装置
２ｂ　　クローラ走行装置
３　　　機体フレーム
５　　　前方操作部
６　　　脱穀装置
９　　　後方操作部
１５　　載置台
【図１】
2004000032.tif 000003
【図２】
2004000032.tif 000004
【図３】
2004000032.tif 000005
【図４】
2004000032.tif 000006
【図５】
2004000032.tif 000007